(57)【要約】本発明は、廃棄物を保管する装置に関し、該装置は、筒状フィルムの供給部を入れるように構成され、筒状フィルムの中に収められた廃棄物を入れるためのチャンバを有する。本発明はまた、筒状フィルムの中に廃棄物を梱包し、梱包された廃棄物を、カバーを備えた装置、好ましくは本発明による装置のチャンバ内に保管する方法に関する。
2013545692.tif 000002
【特許請求の範囲】
【請求項１】
筒状フィルムの供給部を入れるように構成され、前記筒状フィルムに堆積された廃棄物を入れるためのチャンバを備える廃棄物の保管装置であって、該保管装置は、
前記供給部から前記チャンバへ前記筒状フィルムを案内するように構成された通路と、
開状態では、前記通路によって案内された前記筒状フィルムに廃棄物を入れるために、前記通路にアクセスすることができ、閉状態では、前記通路を閉じるカバーと、
前記カバーから離れた前記通路の一側に、その間に前記筒状フィルムを配置することができる第１及び第２の閉鎖要素と、
前記閉鎖要素を前記閉状態で第１の閉鎖位置から第２の閉鎖位置まで前記通路から離れて前記チャンバの方向に運び、前記閉鎖要素を前記開状態で前記第２の閉鎖位置から前記第１の閉鎖位置に運ぶように構成された閉鎖搬送機構であって、前記第１の閉鎖位置に戻って前記閉鎖要素は前記閉状態に戻り、前記閉状態において前記閉鎖要素は密封閉鎖を形成するようにそれらの間に位置する前記筒状フィルムを押し固めて、前記開状態において前記閉鎖要素は、前記密封閉鎖が開放され、前記閉鎖要素が前記筒状フィルム及びその中に堆積された廃棄物に沿って移動できるように互いに離間して配置されている前記閉鎖搬送機構と、を備え、
前記保管装置は、前記カバーがその前記開状態から前記閉状態に一旦移動されると、前記閉鎖搬送機構を運転状態に設定するように構成されている
ことを特徴とする廃棄物の保管装置。
【請求項２】
前記閉鎖搬送機構は、
前記閉鎖搬送機構を駆動するように構成された少なくとも１つの電気モータとそれと共同する変速機と、
前記少なくとも１つの電気モータに接続され、前記少なくとも１つの電気モータを制御するように構成された制御装置であって、前記制御装置はまた、前記カバーがその前記開状態から前記閉状態に移動されたことを判定するように構成され、前記カバーがその前記開状態から前記閉状態に移動されたと判定した後、前記少なくとも１つの電気モータを作動させる前記制御装置と、を備える
ことを特徴とする請求項１に記載の廃棄物の保管装置。
【請求項３】
前記閉鎖搬送機構は、
第１のフレーム位置から第２のフレーム位置まで前記通路から離れて前記チャンバの方向に前記フレームガイドに沿って移動させることができると共に、前記第２のフレーム位置から前記第１のフレーム位置まで前記チャンバから離れて前記通路の方向に移動させることができるように、搬送ガイドに沿って前記装置内を移動可能に構成されたフレームを有し、
前記閉鎖要素は、前記フレーム上に配置されており、
少なくとも一つの前記閉鎖要素は、前記閉鎖要素を前記閉状態にするために、前記開状態から互いに向かって移動させることができると共に、前記閉鎖要素を前記開状態にするために、前記閉状態から互いから離れるように移動させることができるように、前記閉鎖ガイドによって前記フレームに対して移動させるために、前記フレーム上に配置されている
ことを特徴とする請求項２に記載の廃棄物の保管装置。
【請求項４】
前記閉鎖搬送機構は、
前記閉鎖ガイドに沿った前記関連する閉鎖要素の移動と前記フレームガイドに沿った前記フレームの移動が対にされるように、前記閉鎖ガイドにより前記フレーム上を移動可能に配置されている前記閉鎖要素が、前記第１のフレーム位置から前記第２のフレーム位置まで前記通路から離れて前記チャンバの方向に、及び、前記第２のフレーム位置から前記第１のフレーム位置まで前記チャンバから離れて前記通路の方向に、前記フレームガイドに沿って前記フレームを移動させる間、それに沿って案内される経路を画定する結合ガイドを備え、
前記電気モータとそれと共同する前記変速機が、前記フレームガイドに沿って前記フレームを移動させるように構成され、
前記制御装置は、前記フレームが前記第１のフレーム位置から前記第２のフレーム位置まで前記通路から離れて前記チャンバの方向に前記フレームガイドに沿って移動され、その後、前記第２のフレーム位置から前記第１のフレーム位置まで前記チャンバから離れて前記通路の方向に移動されるように、前記電気モータをその作動時に制御するように構成され、
前記結合ガイドは、前記電気モータによる前記フレームの移動中、前記閉状態にある前記閉鎖要素が前記第１の閉鎖位置から前記第２の閉鎖位置まで前記通路から離れて前記チャンバの方向に運ばれ、前記第２の閉鎖位置から前記閉鎖要素が前記第１の閉鎖位置まで戻され、前記第１の閉鎖位置に戻った前記閉鎖要素が前記閉状態に戻るように構成されている
ことを特徴とする請求項３に記載の廃棄物の保管装置。
【請求項５】
第１の電気モータとそれと共同する変速機が前記搬送ガイドに沿って前記フレームを移動させるように構成され、
第２の電気モータとそれと共同する変速機が前記閉鎖ガイドに沿って前記関連する閉鎖要素を移動させるように構成され、
前記制御装置は、前記閉状態にある前記閉鎖要素が前記第１の閉鎖位置から第２の閉鎖位置まで前記通路から離れて前記チャンバの方向に運ばれ、前記開状態にある前記閉鎖要素が前記第２の閉鎖位置から前記第１の閉鎖位置まで戻され、前記第１の閉鎖位置に戻った前記閉鎖要素が前記閉鎖状態に戻るように、前記第１の電気モータと前記第２の電気モータを制御するように構成されている
ことを特徴とする請求項３に記載の廃棄物の保管装置。
【請求項６】
前記保管装置は、
前記制御装置に接続され、ユーザが前記保管装置の使用を望んでいるとそれを用いて前記制御装置が判定できるセンサと、
前記制御装置及びそれと共同する前記変速機に接続され、それを用いて前記カバーを前記閉状態から前記開状態へ、及び前記開状態から前記閉状態へ運ぶことができる電気モータと、を備え、
前記制御装置は、ユーザが前記保管装置の使用を望んでいると判定した後、前記カバーが前記閉状態から前記開状態に運ばれるように前記カバーの前記電気モータを制御し、所定期間後、またはユーザが廃棄物を前記筒状フィルムに置いたことを判定した後、前記カバーが前記開状態から前記閉状態に運ばれるように前記カバーの前記電気モータを制御し、その後、前記閉鎖搬送機構の少なくとも１つの前記電気モータを作動させるように構成されている
ことを特徴とする請求項２〜５のいずれか１項に記載の廃棄物の保管装置。
【請求項７】
前記保管装置は、前記制御装置に接続され、それを用いて前記カバーが前記開状態であるか、前記閉状態であるかを前記制御装置が判定することができるセンサを備える
ことを特徴とする請求項２〜６のいずれか１項に記載の廃棄物の保管装置。
【請求項８】
前記保管装置は、前記閉鎖要素と前記カバーの間に、前記通路内の廃棄物の存在を検出するための、前記制御装置に接続されたセンサを有し、かつ
前記制御装置は、前記通路内の廃棄物の存在が検出されると、前記閉鎖搬送機構の少なくとも１つの電気モータを作動させるように構成されている
ことを特徴とする請求項２〜７のいずれか１項に記載の廃棄物の保管装置。
【請求項９】
前記通路内の廃棄物の存在を検出するための前記センサは、赤外線センサである
ことを特徴とする請求項８に記載の廃棄物の保管装置。
【請求項１０】
前記閉鎖搬送機構は、前記フレームが前記第１のフレーム位置から前記第２のフレーム位置まで前記通路から離れて前記チャンバの方向に前記フレームガイドに沿って移動できると共に、前記第２のフレーム位置から前記第１のフレーム位置まで前記通路から離れて前記チャンバの方向に移動できるように、前記保管装置内で前記搬送ガイドによって移動可能に構成されたフレームを備え、
少なくとも一つの前記閉鎖要素は、前記閉鎖ガイドに沿って移動によって、前記閉状態へと前記閉状態から前記閉鎖要素を運ぶために、前記開状態から前記閉鎖要素が互いに向かって移動できるように、前記閉鎖ガイドによって前記フレームに対して移動するために、前記フレーム上に配置されており、
前記閉鎖搬送機構は、前記閉鎖ガイドにより前記フレーム上で移動可能に構成されている前記関連する閉鎖要素が、前記第１のフレーム位置から前記第２のフレーム位置まで前記通路から離れて前記チャンバの方向に、及び前記第２のフレーム位置から前記第１のフレーム位置まで前記チャンバから離れて前記通路の方向に、前記フレームガイドに沿って前記フレームの移動中に、それに沿って案内される経路を画定する結合ガイドを備え、前記閉鎖ガイドに沿った前記関連の閉鎖要素の前記移動と前記フレームガイドに沿った前記フレームの前記移動が対にされ、
前記保管装置は、ユーザによって第１の作動位置から第２の作動位置に移動させることができる作動要素を備え、
前記作動要素及び前記カバーは、前記第１の作動位置から前記第２の作動位置に前記作動要素が移動する間、前記カバーが前記閉状態から前記開状態に運ばれると共に、前記第２の作動位置から前記第１の作動位置に前記作動要素が移動する間、前記カバーが前記開状態から前記閉状態に運ばれるように、連結機構によって連結されており、
前記作動要素及び前記閉鎖搬送機構は、エネルギ蓄積機構に接続されており、
前記エネルギ蓄積機構は、
前記作動要素の移動中に、この変位からエネルギを生成し、このエネルギを蓄積するように構成されている発電機と、
前記第１のフレーム位置から前記第２のフレーム位置まで、続いて前記第２のフレーム位置から前記第１のフレーム位置まで前記フレームを移動するために前記蓄えられたエネルギを使用するように構成されている前記モータ及びそれと共同する変速機と、を備え、
前記エネルギ蓄積機構は、前記作動要素が前記第２の作動位置から前記第１の作動位置に移動された後、前記モータを作動させるように構成されている
ことを特徴とする請求項１に記載の廃棄物の保管装置。
【請求項１１】
前記発電機は、前記作動要素の変位がばねエネルギの形で蓄積されるように、変速機によって前記作動要素に結合されたばね装置を有し、
前記モータは、前記フレームガイドに沿って前記フレームを移動するために、前記モータと共同する変速機によって前記フレームに伝達可能な運動に前記蓄積されたばねエネルギを変換するように構成されている
ことを特徴とする請求項１０に記載の廃棄物の保管装置。
【請求項１２】
両方の閉鎖要素は、前記閉鎖要素が前記開状態から前記閉状態に運ばれるとき、及び前記閉鎖要素が前記閉状態から前記開状態に運ばれるとき、前記フレームに対して移動される
ことを特徴とする請求項２〜９のいずれか１項または請求項１０及び１１のいずれか一項に記載の廃棄物の保管装置。
【請求項１３】
前記閉鎖要素の少なくとも一つは、前記筒状フィルムを密閉するように押し固める弾性材料を有する
ことを特徴とする請求項１〜１２のいずれか１項に記載の廃棄物の保管装置。
【請求項１４】
前記閉鎖要素の少なくとも一つは、偏心回転軸周りに回転させることができ、ばねによって開始位置に付勢されているローラを備え、前記ローラは、前記閉鎖要素を前記閉状態に運ぶために前記ローラが前記関連する閉鎖要素に対して押されているとき、ばねの作用に抗して前記ローラが前記開始位置から押し出されて前記回転軸の周りで回転されるように構成され、
前記ローラは、前記ばねが前記ローラを前記閉鎖要素が前記第１の閉鎖位置から前記第２の閉鎖位置に移動される方向と反対方向に付勢するように構成されている
ことを特徴とする請求項１〜１３のいずれか１項に記載の廃棄物の保管装置。
【請求項１５】
筒状フィルムで廃棄物を梱包し、カバーを備えた装置のチャンバ内に前記梱包された廃棄物を保管するための方法であって、前記方法は、
筒状フィルムの供給部から前記カバーによって閉鎖される前記通路を介して前記チャンバに前記筒状フィルムを導く工程と、
密封閉鎖を形成するために第１及び第２の閉鎖要素によって前記カバーから離れた前記通路の側で前記筒状フィルムを押し固める工程と、
前記通路内での梱包のために前記廃棄物を受け取る工程と、
廃棄物を前記通路内に配置できる前記開状態から、前記カバーが前記通路を閉塞する前記閉状態へ、前記カバーが運ばれたことを判定する工程と、
前記カバーが前記閉状態に運ばれたことを判定した後、前記チャンバに前記廃棄物を搬送する工程と、を有し、
前記チャンバへの前記廃棄物の搬送は、
前記筒状フィルムを前記閉鎖要素の間で押し固めている間、前記閉鎖要素を移動させて前記筒状フィルムの一部と共に前記廃棄物を前記チャンバの方向に搬送する工程と、
前記密封閉鎖が開放され、前記閉鎖要素が前記筒状フィルムとその中に堆積された廃棄物に沿って移動できるように、前記閉鎖要素を所定距離離間させる工程と、
前記筒状フィルムとその中に入れられた前記廃棄物の前記一部に沿って前記通路の方向に前記閉鎖要素を移動させる工程と、
前記密封閉鎖を再び形成するために、前記閉鎖要素を互いに向かって運ぶことにより、前記筒状フィルムとその中に置かれた前記廃棄物の前記一部の上側で前記筒状フィルムを押し固める工程と、を有する
ことを特徴とする廃棄物の保管方法。
【請求項１６】
前記カバーが前記開状態から前記閉状態に運ばれたことを判定する前記工程の前に、前記カバーを前記開状態から前記閉状態まで運ぶ工程と、をさらに有する
ことを特徴とする請求項１５に記載の廃棄物の保管方法。
【請求項１７】
前記通路内に廃棄物を入れる前記工程の前に、
ユーザが廃棄物を前記通路に入れるのを望んでいることを検出する工程と、
前記ユーザが廃棄物を前記通路に入れるのを望んでいると判定した後、前記閉状態から前記開状態に前記カバーを運ぶ工程と、をさらに有する
ことを特徴とする請求項１６に記載の廃棄物の保管方法。
【発明の詳細な説明】
【技術分野】
【０００１】
本発明は、廃棄物の処理装置及び方法に関し、廃棄物が筒状フィルムの中に梱包され、カバーを備えた装置のチャンバ内に格納される。
【背景技術】
【０００２】
このような装置及び方法は、当該技術分野において知られている。例えば病院、レストランなどのキッチンでは、例えば昆虫(ハエ、ショウジョウバエなど）などの害虫が食物残渣に引き寄せられるのを防ぐために、廃棄物が破棄される前に衛生的な方法で隔離されることが特に重要である。また、女性の衛生用品（生理用ナプキン、タンポン）と公衆トイレのおむつをそのような方法によって梱包することが知られており、不快な臭気が逃げることができないということが重要である。
【０００３】
特に当該術分野において、筒状フィルムに入れられた廃棄物を回転させることで廃棄物が隔離され、これによって筒状フィルムの廃棄物の上側に絞りを形成する方法及び装置が記載されている。また、方法及び装置は、廃棄物の個々の梱包に顎部を熱密封により形成することが知られている。
【０００４】
既知の方法及び装置自体は、上述の問題に効果的な解決方法を提供するが、その方法を実行するのに必要な装置は、比較的複雑で高価である。上述の目的である廃棄物の処理のために、これは望ましくないことが明らかであろう。複雑な装置はまた、原則としてより故障しやすい。回避しなければならない非衛生的な状況がまさに生じるので、これが望ましくないということは、まさに解決すべき問題である。
【０００５】
本発明は、特に、比較的簡素な形態をとり、廃棄物へのアクセスを効果的にブロックし、その臭気が筒状フィルムから逃げないようにし、比較的安価な装置を提供することを目的とする。
【０００６】
この目的のために本発明は、筒状フィルムの供給部を入れるように構成され、筒状フィルムに堆積された廃棄物を入れるためのチャンバを備える廃棄物の保管装置であって、該保管装置は、
供給部からチャンバへ筒状フィルムを案内するように構成された通路と、
開状態では、通路によって案内された筒状フィルムに廃棄物を入れるために、通路にアクセスすることができ、閉状態では、通路を閉じるカバーと、
カバーから離れた通路の一側に、第１及び第２の閉鎖要素間に筒状フィルムを配置することができる第１及び第２の閉鎖要素と、
閉鎖要素を閉状態で第１の閉鎖位置から第２の閉鎖位置まで通路から離れてチャンバの方向に運び、閉鎖要素を開状態で第２の閉鎖位置から第１の閉鎖位置に運ぶように構成された閉鎖搬送機構であって、第１の閉鎖位置に戻って閉鎖要素は閉状態に戻り、閉状態において閉鎖要素は密封閉鎖を形成するようにそれらの間に位置する筒状フィルムを押し固めて、開状態において閉鎖要素は、密封閉鎖が開放され、閉鎖要素が筒状フィルム及びその中に堆積された廃棄物に沿って移動できるように互いに離間して配置されている閉鎖搬送機構と、を備え、
保管装置は、カバーがその開状態から閉状態に一旦移動されると閉鎖搬送機構を運転状態に設定するように構成されている
ことを特徴とする廃棄物の保管装置を提供する。
【０００７】
本発明による装置は、各廃棄物の挿入後に筒状フィルムを回転させることによって筒状フィルムを閉じた状態にしなくても、及び、各廃棄物の挿入後に熱封止処理によって筒状フィルムを恒久的に閉じた状態にしなくても、既に格納された廃棄物の想定される臭気の面で、及び、その外見の面で、ユーザを本装置によって既に格納された廃棄物に向かい合わせるのを防ぐことができる。
【０００８】
しかし、筒状フィルムの密封閉鎖を開放することで、開状態にある閉鎖要素が第２の閉鎖位置から第１の閉鎖位置まで戻されるとき、先の機会に筒状フィルムに既に入れられた（そして、おそらく臭い始めている）廃棄物に対して通路が開かれる。閉鎖搬送機構が作動状態に設定される前にカバーが閉じている状態は、不快な臭気が筒状フィルムから逃げることができないようにすると共に、ユーザを既に装置に入れられた廃棄物に向かい合わせないようにする。廃棄物の通過後、閉鎖要素間の筒状フィルムが再び密封され、それによって、臭気の脱出及び／または昆虫の侵入が回避される。閉鎖要素が閉状態で第１の閉鎖位置から第２の閉鎖位置まで移動することによって、筒状フィルムは、チャンバの方向に供給部から引っ張り出される。次の使用中に新しい廃棄物を入れるためにカバーが開けられたとき、次のユーザを以前に装置に入れられた廃棄物に向かい合わせないように、ユーザをチャンバの側面で閉じられた新しいフィルムに向かい合わせる。
【０００９】
筒状フィルムを各回、収縮または熱シールによって閉じるための複雑な機構がないので、本発明による装置には、比較的簡素で安価な、操作上信頼の高い形態を与えることができる。
【００１０】
本発明による装置の好ましい実施例では、閉鎖搬送機構は、
少なくとも１つの電気モータと、閉鎖搬送機構を駆動するように構成された、それと共同する変速機と、
少なくとも１つの電気モータに接続され、少なくとも１つの電気モータを制御するように構成された制御装置であって、制御装置はまた、カバーがその開状態から閉状態に移動されたことを判定するように構成され、カバーがその開状態から閉状態に移動されたと判定した後、少なくとも１つの電気モータを作動させる制御装置と、を備える。
【００１１】
例えば電池によって動力が供給される電気モータとそのための制御装置の適用は、特に簡素で信頼性の高い閉鎖搬送機構の実施例を可能にし、さらに、装置の使用は、ユーザにとって非常に容易であり、ほとんど困難を伴わない。電気モータが特に好ましいが、油圧または空気圧モータなどの他の種類のモータも適用することができる。
【００１２】
この好ましい実施例では、閉鎖搬送機構は、
フレームは、第１のフレーム位置から第２のフレーム位置まで通路から離れてチャンバの方向にフレームガイドに沿って移動させることができると共に、第２のフレーム位置から第１のフレーム位置までチャンバから離れて通路の方向に移動させることができるように、搬送ガイドによって装置内を移動可能に構成されたフレームを有し、
閉鎖要素は、フレーム上に配置されており、
少なくとも一つの閉鎖要素は、閉鎖要素を閉状態にするために開状態から閉鎖要素を互いに向かって移動させることができると共に、閉鎖要素を開状態にするために閉状態から互いから離れるように移動させることができるように、閉鎖ガイドによるフレームに対する移動のためにフレーム上に配置されている。
【００１３】
これらの手段は、単純な部品の移動を伴う閉鎖搬送機構の実行を可能にし、閉鎖搬送機構の実施例は、簡素で信頼性の高い形態を与えることができる。また、電気モータとそれと共同する変速機の単純な組み合わせ、例えば、出力軸を回転させる単純な電気モータとギアラック変速機の組み合わせ、または、出力軸を回転させる単純な電気モータとスクリュージャッキ変速機の組み合わせで、移動を実現することができる。
【００１４】
ここでのさらに好ましい実施例では、閉鎖搬送機構は、
閉鎖ガイドに沿った関連する閉鎖要素の移動とフレームガイドに沿ったフレームの移動が対にされるように、閉鎖ガイドによりフレーム上を移動可能に配置されている閉鎖要素が、第１のフレーム位置から第２のフレーム位置まで通路から離れてチャンバの方向に、及び、第２のフレーム位置から第１のフレーム位置までチャンバから離れて通路の方向に、フレームガイドに沿ってフレームを移動させる間、それに沿って案内される経路を画定する結合ガイドを備え、
電気モータとそれと共同する変速機が、フレームガイドに沿ってフレームを移動させるように構成され、
制御装置は、フレームが第１のフレーム位置から第２のフレーム位置まで通路から離れてチャンバの方向にフレームガイドに沿って移動され、その後、第２のフレーム位置から第１のフレーム位置までチャンバから離れて通路の方向にチャンバからに移動されるように、電気モータをその作動時に制御するように構成され、
結合ガイドは、電気モータによるフレームの移動中、閉状態にある閉鎖要素が第１の閉鎖位置から第２の閉鎖位置まで通路から離れてチャンバの方向に運ばれ、第２の閉鎖位置から閉鎖要素が第１の閉鎖位置まで戻され、第１の閉鎖位置に戻った閉鎖要素が閉状態に戻るように構成されている。
【００１５】
これらの手段は、１つの電気モータと特に単純な形態の制御装置で実施することができ、これは、装置のコスト削減及び信頼性向上に寄与する。
【００１６】
しかしまた、フレームの移動とフレームに対する移動が可能な閉鎖要素の移動のために、独立したモータを使用することもできる。このような他の実施例では、閉鎖搬送機構は、第１の電気モータと第２の電気モータを有し、
第１の電気モータとそれと共同する変速機が搬送ガイドに沿ってフレームを移動させるように構成され、
第２の電気モータとそれと共同する変速機が閉鎖ガイドに沿って関連する閉鎖要素を移動させるように構成され、
制御装置は、閉状態にある閉鎖要素が第１の閉鎖位置から第２の閉鎖位置まで通路から離れてチャンバの方向に運ばれ、開状態にある閉鎖要素が第２の閉鎖位置から第１の閉鎖位置まで戻され、第１の閉鎖位置に戻った閉鎖要素が閉鎖状態に戻るように、第１の電気モータと第２の電気モータを制御するように構成されている。
【００１７】
これらの手段は、比較的軽い形態の電気モータと、さらに簡素な形態の装置の使用を可能にする。
【００１８】
本発明による装置のさらに好ましい実施例では、上述のように、多数の電気モータとそのための制御装置が設けられた閉鎖搬送機構を備え、保管装置は、
制御装置に接続され、ユーザが保管装置の使用を望んでいるとそれを用いて制御装置が判定できるセンサと、
制御装置及びそれと共同する変速機に接続され、それを用いてカバーを閉状態から開状態へ、及び開状態から閉状態へ運ぶことができる電気モータと、を備え、
制御装置は、ユーザが保管装置の使用を望んでいると判定した後、カバーが閉状態から開状態に運ばれるようにカバーの電気モータを制御し、所定期間後、またはユーザが廃棄物を筒状フィルムに置いたことを判定した後、カバーが開状態から閉状態に運ばれるようにカバーの電気モータを制御し、その後、閉鎖搬送機構の少なくとも１つの電気モータを作動させるように構成されている。
【００１９】
これらの手段は、ユーザが装置の使用を望むことを示すことだけが必要とされるようにできる。ユーザは、彼／彼女自身で開くかのカバーを閉じる必要がない。これらの手段はまた、カバーが開状態から閉状態に運ばれたことを制御装置が判定するのを容易にする。センサは、プッシュ式ボタンとすることができるが、例えば既存のタイプのセンサ、すなわち、例えばユーザの手の存在を検出するために触れる必要がないセンサとすることもできる。後者のタイプのセンサを適用する場合、装置を作動するために、ユーザは、センサの近くに例えば彼／彼女の手のみをあてることが可能であり、したがって、彼／彼女は装置に触れる必要がない。この後者は、衛生面で特に利点がある。
【００２０】
本発明によるさらに好ましい実施例は、上述のように、多数の電気モータとそのための制御装置を備えた閉鎖搬送機構を備え、保管装置は、制御装置に接続された、それを用いてカバーが開状態または閉状態であるか否かを制御装置が判定できるセンサを備える。
【００２１】
この手段は、ユーザ自身がカバーを開閉する一実施例を可能にし、これは装置の単純化に寄与する。しかし、上述のようなカバーの自動開閉との組み合わせで、この手段はまた、制御装置がより正確に、カバーが閉じていることを判定するのを可能にするという利点を有する。
【００２２】
本発明による装置のさらに好ましい実施例では、上述のように、多数の電気モータとそのための制御装置が設けられた閉鎖搬送機構を備え、保管装置は、閉鎖要素とカバーの間に、通路内の廃棄物の存在を検出するための、制御装置に接続されたセンサを備え、制御装置は、一度通路に廃棄物の存在が検出されると、閉鎖搬送機構の少なくとも１つの電気モータを作動するように構成されている。
【００２３】
これらの手段は、通路によって案内される筒状フィルムに廃棄物が入れられていない場合にも、閉鎖搬送機構が作動状態に設定されるのを防止できる。これは、筒状フィルムの供給の無駄を避けるのに有利である。
【００２４】
好ましい実施例では、通路における廃棄物の存在を検出するためのセンサは、赤外線センサである。
【００２５】
この手段は、赤外線放射に透過性があるが、可視スペクトルには透過性がない材料、例えば白色ＰＥフィルムなどでできており、センサは、廃棄物が筒状フィルム内に存在するか否かを検出できる。さらに、筒状フィルムとその中に格納された廃棄物を処理のために装置から取り出す人は、廃棄物を見ることはできず、それと直面しない。
【００２６】
本発明による装置はまた、上述のように、多数の電気モータとそのための制御装置が設けられた閉鎖搬送機構を備えるが、電気モータ無しで装置を具現化してもよい。
【００２７】
本発明によるこのような他の実施例では、閉鎖搬送機構は、フレームが第１のフレーム位置から第２のフレーム位置まで通路から離れてチャンバの方向にフレームガイドに沿って移動できると共に、第２のフレーム位置から第１のフレーム位置まで通路から離れてチャンバの方向に移動できるように、保管装置内で搬送ガイドによって移動可能に構成されたフレームを備え、
少なくとも一つの閉鎖要素は、閉鎖ガイドに沿って移動によって、閉状態へと閉状態から閉鎖要素を運ぶために、開状態から閉鎖要素が互いに向かって移動できるように、閉鎖ガイドによってフレームに対して移動するために、フレーム上に配置されており、
閉鎖搬送機構は、閉鎖ガイドによりフレーム上で移動可能に構成されている関連する閉鎖要素が、第１のフレーム位置から第２のフレーム位置まで通路から離れてチャンバの方向に、及び第２のフレーム位置から第１のフレーム位置までチャンバから離れて通路の方向に、フレームガイドに沿ってフレームの移動中に、それに沿って案内される経路を画定する結合ガイドを備え、閉鎖ガイドに沿った関連の閉鎖要素の移動とフレームガイドに沿ったフレームの移動が対にされる。
【００２８】
さらに、この他の実施例は、保管装置は、ユーザによって第１の作動位置から第２の作動位置に移動させることができる作動要素を備え、
作動要素及びカバーは、第１の作動位置から第２の作動位置に作動要素が移動する間、カバーが閉状態から開状態に運ばれると共に、第２の作動位置から第１の作動位置に作動要素が移動する間、カバーが開状態から閉状態に運ばれるように、連結機構によって連結されており、
作動要素及び閉鎖搬送機構は、エネルギ蓄積機構に接続されており、
エネルギ蓄積機構は、
作動要素の移動中に、この変位からエネルギを生成し、このエネルギを蓄積するように構成されている発電機と、
第１のフレーム位置から第２のフレーム位置まで、続いて第２のフレーム位置から第１のフレーム位置までフレームを移動するために蓄えられたエネルギを使用するように構成されているモータ及びそれと共同する変速機と、を備える。エネルギ蓄積機構は、作動要素が第２の作動位置から第１の作動位置に移動された後、モータを作動させるように構成されている。
【００２９】
これらの手段は、ユーザが電気モータを使用せずに、本発明による装置を作動させることができる。これは、例えば電源なしで済ますことができるという利点がある。
【００３０】
作動要素は、手だけでなく足で作動できる作動要素であってもよいが、好ましくは、足ペダルである。この後者は、装置を作動状態に設定するために、ユーザが手で装置に触れる必要がないという利点があり、これは衛生に寄与する。
【００３１】
本発明による装置のこの別の実施態様のうちの好ましい実施例では、発電機は、作動要素の変位がばねエネルギの形で蓄積されるように、変速機によって作動要素に結合されたばね装置を有し、モータは、フレームガイドに沿ってフレームを移動するために、モータと共同する変速機によってフレームに伝達可能な運動に蓄積されたばねエネルギを変換するように構成されている。
【００３２】
これらの手段は、比較的簡易なエネルギの蓄積と放出を可能にする。
【００３３】
本発明による装置の好ましい実施例では、閉鎖要素が開状態から閉状態に運ばれるとき、及び閉鎖要素が閉状態から開状態に運ばれるとき、両閉鎖要素はフレームに対して移動される。
【００３４】
筒状フィルムは、この方法では、通路を介して対称的に案内することができ、これは信頼性の高い動作に貢献する。
【００３５】
本発明による装置のさらに好ましい実施例では、閉鎖要素の少なくとも一つは、筒状フィルムを密閉するように押し固める弾性材料を有する。
【００３６】
この手段は、筒状フィルムへの損傷を避けることができる。弾性材料は、好ましくはゴムまたはプラスチックから選択される。両閉鎖要素は、好ましくは弾性材料で構成する。
【００３７】
本発明による装置のさらに好ましい実施例では、閉鎖要素の少なくとも一つは、偏心回転軸周りに回転させることができ、ばねによって開始位置に付勢されているローラを備え、ローラは、閉鎖要素を閉状態に運ぶためにローラが関連する閉鎖要素に対して押されているとき、ばねの作用に抗してローラが開始位置から押し出されて回転軸の周りで回転するように構成され、ローラは、ばねがローラを閉鎖要素が第１の閉鎖位置から第２の閉鎖位置に移動される方向と反対方向に付勢するように構成されている。
【００３８】
これらの手段は、閉鎖要素間での筒状フィルムの非常に良好なクランプを可能にし、閉鎖要素が第１の閉鎖位置から第２の閉鎖位置まで通路から離れてチャンバの方向に閉状態で運ばれるとき、閉鎖要素間での筒状フィルムの滑りを防止する。
【００３９】
本発明はまた、筒状フィルムで廃棄物を梱包し、カバーを備えた装置のチャンバ内に梱包された廃棄物を保管するための方法であって、方法は、
筒状フィルムの供給部からカバーによって閉鎖される通路を介してチャンバに筒状フィルムを導く工程と、
密封閉鎖を形成するために第１及び第２の閉鎖要素によってカバーから離れた通路の側で筒状フィルムを押し固める工程と、
通路内での梱包のために廃棄物を受け取る工程と、
廃棄物を通路内に配置できる開状態から、カバーが通路を閉塞する閉状態へ、カバーが運ばれたことを判定する工程と、
カバーが閉状態に運ばれたことを判定した後、チャンバに廃棄物を搬送する工程と、を有し、
チャンバへの廃棄物の搬送は、
筒状フィルムを閉鎖要素の間で押し固めている間、閉鎖要素を移動させて筒状フィルムの一部と共に廃棄物をチャンバの方向に搬送する工程と、
密封閉鎖が開放され、閉鎖要素が筒状フィルムとその中に堆積された廃棄物に沿って移動できるように、閉鎖要素を所定距離離間させる工程と、
筒状フィルムとその中に入れられた廃棄物の一部に沿って通路の方向に閉鎖要素を移動させる工程と、
密封閉鎖を再び形成するために、閉鎖要素を互いに向かって運ぶことにより、筒状フィルムとその中に置かれた廃棄物の一部の上側で筒状フィルムを押し固める工程と、を有する
ことを特徴とする廃棄物の保管方法に関する。
【００４０】
本発明によるこの方法は、本発明による装置を参照した上述のような利点がある。
【００４１】
本発明の方法の好ましい実施例はまた、カバーが開状態から閉状態に運ばれたことを判定する工程より前に、カバーを開状態からの閉状態へ運ぶ工程を有する。
【００４２】
アクティブなカバーの閉鎖は、ユーザをチャンバの内容物に確実に向き合わせないようにできる。さらに有利な実施例における方法はまた、ユーザが装置の使用を望んでいることを判定した後、梱包のために廃棄物を入れるために、カバーを閉状態から開状態まで運ぶ工程を有する。これは、ユーザがカバーに全く触れる必要がないことを可能にする。
【００４３】
添付図に概略的に示された実施例に基づいて、本発明について以下にさらに説明する。これらは、非限定の実施例である。
【図面の簡単な説明】
【００４４】
【図１】本発明による装置の第１実施例の斜視図である。
【図２】図１の装置を開状態で示す。
【図３】図２の装置の細部を示す。
【図４Ａ】図１、２及び３の装置の動作を段階的に示す。
【図４Ｂ】図１、２及び３の装置の動作を段階的に示す。
【図４Ｃ】図１、２及び３の装置の動作を段階的に示す。
【図４Ｄ】図１、２及び３の装置の動作を段階的に示す。
【図４Ｅ】図１、２及び３の装置の動作を段階的に示す。
【図５】本発明による装置の第２実施例の部分断面斜視図である。
【図６Ａ】図５の装置の動作を段階的に示す。
【図６Ｂ】図５の装置の動作を段階的に示す。
【図６Ｃ】図５の装置の動作を段階的に示す。
【図６Ｄ】図５の装置の動作を段階的に示す。
【図６Ｅ】図５の装置の動作を段階的に示す。
【図７】図５の装置の細部の側面図である。
【図８】図５の装置の細部の斜視図である。
【図９】本発明による装置の第３実施例の斜視図である。
【図１０】図９の装置の細部の概略図を示す。
【００４５】
図１及び図２は、生理用ナプキンなどの廃棄物の衛生的な処理のための本発明による装置１を示す。図１には、その使用中の装置１を示す。図２では、装置１からその中に収納された廃棄物を取り除くために装置１が開かれており、装置１の内部が見える。
【００４６】
装置１は、図１に示されたカバー３を開状態で備え、ユーザが廃棄物を入れることができる通路５を見ることができる。ユーザが彼／彼女の手をセンサ７に近づけると、カバー３が開かれ、その後、装置１中のプリント配線板９に配置された制御装置は、ギアラック変速機１３によってカバー３を電気閉状態から図１に示された開状態に移動させた電気モータ１１を作動させた。
【００４７】
図２は、装置１が第１の閉鎖ハッチ１７と第２の閉鎖ハッチ１９で閉鎖可能であるチャンバ１５を備えることが示しており、チャンバ１５は図２に開状態で示されている。開かれた閉鎖ハッチ１７、１９を介して、筒状フィルムの供給部は、装置のカートリッジ２１に配置することができ、いくらかの期間使用後、廃棄物を含む筒状フィルム(ここで表示されない)を装置１から取り出すことができる。使用を考慮する、筒状フィルムは、例えば、密封を伴って、または結び目を使用して、その終端で閉じられる。筒状フィルムを装置１から取り出すとき、他の外側の端部は、同様に結び目などを伴って閉鎖される。すべての廃棄物は、筒状フィルム内部にあり、操作を行う人は誰も廃棄物と接触しない。不透明の筒状フィルムを使用すると、内容物はこの人の視界から完全に隠されたままである。
【００４８】
図３は、装置の一部分Ａを詳細に示している。
【００４９】
図３は、装置１が、当該術分野で知られているカートリッジ２１を筒状フィルムの供給部と共に配置可能なカートリッジチャンバ２３を備えることを示している。この筒状フィルム５は、通路５を介して装置１のチャンバ１５に案内される。
【００５０】
ここに示された実施例では、通路５は、フレーム２７のためのフレームガイドとして働く円筒状外壁２５によって形成される。フレーム２７は、円筒状外壁２５から離れた端部に閉鎖ガイド３１、３３を備えた円筒状内壁２９として示されている。閉鎖ガイドには閉鎖要素３５、３７が配置されており、それは、さらに図４に示されている。
【００５１】
フレーム２７は、円筒状外壁２５に沿って第１のフレーム位置と第２のフレーム位置の間を円筒状外壁に２５に配置された電気モータ３９とギアラック変速機４１によって移動できる。図２に示された第１のフレーム位置で閉鎖ガイド３１、３３と、その中に配置された閉鎖要素３５、３７は、カートリッジチャンバ２３から離間した円筒状外壁２５の終端の近くに配置されている。図３に示された第２のフレーム位置で閉鎖ガイド３１、３３を備えたフレーム２７と、その中にある閉鎖要素３５、３７は、電気モータ３９とそれと共同するギアラック変速機４１によって、第１のフレーム位置に対して通路５からチャンバ１５の方向Ｂに移動される。電気モータ３９は、プリント基板９に配置され、電気モータ３９を制御するように構成された制御装置に接続される。
【００５２】
制御装置はまた、フレーム２７に配置された電気モータ４３に接続されている。電気モータ４３は、閉鎖ガイド３１、３３内に配置された閉鎖要素を閉鎖ガイド３１、３３に沿って移動させるための、それと共同する変速機（図示せず）と適合する。
【００５３】
制御装置はまた、通路５内にある筒状フィルムの中の廃棄物の存在を検出するための赤外線センサ４５に接続されている。このセンサ４５は、プリント回路基板９ａ上に配置されている。また、プリント回路基板９ｂ上には、赤外線を放射する光源４７が配置されている。
【００５４】
貫通孔４９が円筒状内壁２９に配置されている。図２に示すように第１のフレーム位置で、この貫通孔４９は、光源４７によって放射された赤外線放射が通路５に放射するように、赤外線センサ４５と光源４７のレベルに位置している。通路５内でその中にあるフィルムに入れられた廃棄物は、放射線を散在させる。赤外線センサ４５は、センサ４５に接続されている制御装置が、廃棄物が通路５に入れられたことを判定できるように、この散乱を検出する。赤外線の使用によって、可視光の中で不透明である筒状フィルム（例えば、白いポリエチレン）の場合でも、廃棄物の存在を判定することができる。
【００５５】
一度廃棄物の存在が制御装置によって判定されると、この後者は、カバー３が開状態から閉状態に運ばれるように、カバー３の電気モータ１１を作動させ、通路５を閉鎖する。一度カバー３が閉状態に移動されると、制御装置は、通路５に存在する筒状フィルムの部分とその中に位置している廃棄物が通路５からチャンバ１５まで運ばれるように、電気モータ３９、４３を制御する。この工程は、図４Ａ〜４Ｅを参照して以下に説明する。
【００５６】
図４Ａは、フレーム２７が、第１のフレーム位置まで位置していることを示している。閉鎖要素３５、３７が閉鎖ガイド３１、３３に配置されている。筒状フィルム４７が閉鎖要素３５、３７の間に配置されている。筒状フィルム４７がカートリッジ２１の外に通路５を形成する円筒状外壁２５によってチャンバ１５まで筒状フィルム４７の供給部と共に案内される。
【００５７】
図４Ａにおいて、閉鎖要素３５、３７が閉状態にあり、これらは、密封閉鎖を形成するためにその間に配置された筒状フィルム４７を押し固める。この密封閉鎖のおかげで、既にチャンバ１５内に位置している筒状フィルム４７の部分４７ａに存在する廃棄物からの臭気は、通路５を介して装置１の外に出ることができない。
【００５８】
図４Ａは、通路５に位置している筒状フィルム４７の部分４７ｂに廃棄物４９が入れられていることを示している。
【００５９】
図４Ｂは、一度カバー３が開状態から閉状態まで運ばれると、フレーム２７は、図４Ａに示すような第１のフレーム位置から通路５を離れてチャンバ１５の方向Ｃに図４Ｂに示すような第２のフレーム位置まで移動されることを示している。ここで、閉鎖要素３５、３７は、第１の閉鎖位置（この実施例では、第１のフレーム位置と同じ）から閉鎖要素３５、３７の閉状態で第２の閉鎖位置（この実施例では、第２のフレーム位置と同じ）まで運ばれる。閉鎖要素３５、３７が第１の閉鎖位置から第２の閉鎖位置まで移動する間、閉鎖要素は、筒状フィルム４７が押し固められた閉状態のままであり、廃棄物４９が入れられた筒状フィルム４７の部分４７ｂは、チャンバ１５の方向に搬送され、次の部分４７ｃがカートリッジ２１から通路５に引っ張られる。
【００６０】
図４Ｃは、閉鎖要素３５、３７の第２の閉鎖位置では、フレーム２７に対する移動によって閉鎖ガイド３１、３３に沿って矢印Ｄの方向へ閉状態から開状態まで閉鎖要素３５、３７が運ばれることを示している。図４Ｃに示すように、閉鎖要素は、開状態で互いから所定距離の位置に配置され、筒状フィルムの密封閉鎖が開放される。図４Ｃに示すように、廃棄物４９は、既にチャンバ１５に入れられた筒状フィルム４７の部分４７ａの中に落下できる。閉鎖密封は開放されるが、カバー３が閉じているので、チャンバ１５に既に入れられた筒状フィルム４７の部分４７ａからの臭気は、装置１から出ることができない。また、カバー３が閉じているので、ユーザは、既にチャンバ１５に位置している筒状フィルム４７の部分４７ａに存在する廃棄物を見ることができる。
【００６１】
図４Ｄは、フレーム２７とその上に配置された閉鎖要素３５、３７とが次に、これら閉鎖要素３５、３７は開状態で、第２のフレーム位置／閉鎖位置から通路５の方向Ｅに、第１のフレーム位置／閉鎖位置まで移動されることを示している。閉鎖要素３５、３７が開状態で互いから所定距離の位置に配置されているので、閉鎖要素３５、３７は、筒状フィルム４７の部分４７ｂを移動中に通過する。
【００６２】
図４Ｅには、第１の閉鎖位置に戻った閉鎖要素３５、３７が、閉鎖ガイド３１、３３に沿った開状態から矢印Ｆの方向に閉状態まで運ばれることが示されている。図４Ｅに示すように、閉状態の閉鎖要素３５、３７は、図４Ａに示すような以前の状況と全く同様に、筒状フィルム４７を再び押し固めて密封閉鎖状態にする。上述のように、次のユーザは、装置のカバー３を開き、通路５に入れられた筒状フィルム４７の部分４７ｃに廃棄物をさらに入れることができる。密封閉鎖を形成するために筒状フィルム４７が押し固められ、通路５にある筒状フィルム４７の部分４７ｃが装置に入れられた先の廃棄物と接触されなかったので、次のユーザはこの前の廃棄物と直面しない。示された実施例では、第１の閉鎖位置と第２の閉鎖位置ｂの間の距離は、筒状フィルム４７のすべて部分４７ｂがチャンバ内に搬送されるのに十分な大きさであることが知られている。図４Ａ〜４Ｅに示されたサイクルは、カートリッジ２１内のフィルムの供給部が使い尽くされるまで、またはチャンバ１５が廃棄物と筒状フィルムで完全にいっぱいになるまで繰り返すことができる。
【００６３】
図５は、図１〜４に示すような装置１の他の実施例を示している。
【００６４】
図５に示された装置１０１は、図４Ａ〜４Ｅに示すように、筒状フィルムを閉鎖して運ぶ工程を可能にする閉鎖搬送機構を除いて、図１〜４に示された装置１と同様のものである。同じ部品と同じ機能を持つ部品は、可能な限り同じ参照番号と共に、その参照番号に１００を追加して指定されている。
【００６５】
図１に示すような状況と対照的に、カバー１０３は図５に示すような状況では閉状態である。
【００６６】
図５に破線で示された部品は、図４Ａ〜図４Ｅに示すように装置１０１のための筒状フィルムを閉鎖して搬送する工程を示すために、図６Ａ〜図６Ｅに示されている。
【００６７】
図６Ａは、ガイドプレート１５１が装置１０１内で通路１０５に対して固定配置されていることを示している。このガイドプレート１５１は、フレーム１２７のためのフレームガイドを形成し、それに沿ってフレーム１２７は、図６Ａに示された第１のフレーム位置から第２のフレーム位置まで通路１０５から離れてチャンバ１１５の方向Ｆに移動することができる。閉鎖要素１３５、１３７がフレーム１２７に対して移動するように配置された溝状の閉鎖ガイド１３１、１３３を備えたフレーム１２７が示されている。これらの閉鎖要素１３５、１３７は、さらに図７に示されている。
【００６８】
ガイドプレートには、溝状の結合ガイド１５３が配置されており、その中はまた、閉鎖要素１３５、１３７が配置されている。この結合ガイド１５３は、経路を画定しており、その経路に沿って、フレーム１２７がガイドプレート１５１に沿って移動する間、閉鎖要素１３５、１３７が、第１のフレーム位置から通路１０５から離れてチャンバ１１５の方向Ｃに第２のフレーム位置まで、及び第２のフレーム位置からチャンバ１１５を離れて通路１０５の方向Ｅに第１のフレーム位置まで案内される。閉鎖要素１３５、１３７の閉鎖ガイド１３１、１３３に沿った移動と、フレーム１２７のガイドプレート１５１に沿った移動は、そのため対にされる。
【００６９】
図６Ａは、フレーム１２７が第１のフレーム位置にあることを示している。この第１のフレーム位置はまた、閉鎖要素１３５、１３７が閉鎖状態である閉鎖要素１３５、１３７の第１の閉鎖位置である。図のように、閉状態にある閉鎖要素１３５、１３７は、その間に配置された筒状フィルム１４７を、密封閉鎖を形成するために押し固める。
【００７０】
カバー１０３が開状態に移動された後、通路１０５に位置する筒状フィルム１４７の一部１４７ｂに廃棄物１４９が入れられることが図６Ａに示されている。
【００７１】
図６Ｂは、カバー１０３を開状態から閉状態に移動後、フレーム２７が図６Ａに示すような第１のフレーム位置から通路１０５を離れてチャンバ１１５の方向Ｃに移動されることを示している。ここで、閉鎖要素１３５、１３７は、結合ガイド１５３の部分１５３ａの方に進み、閉鎖要素１３５、１３７の閉状態で閉鎖要素１３５、１３７は、ここでまた、第１の閉鎖位置からチャンバ１１５の方向Ｃに移動される。閉鎖要素１３５、１３７の移動中、閉鎖要素は筒状フィルム１４７が押し固められた閉状態のままであるので、廃棄物１４９が入れられた筒状フィルム１４７の一部１４７ｂは、チャンバ１１５の方向に搬送され、次の部分１４７ｃがカートリッジ２１から通路１０５に矢印Ｇによると取り出される。閉鎖要素１３５、１３７が結合ガイド１５３の位置Ｈに達するとすぐに、閉鎖要素１３５、１３７は第２の閉鎖位置に配置される。しかし、チャンバ１０５の方向Ｃへのフレーム１２７の移動は、第２の閉鎖位置で停止されず、閉鎖要素１３５、１３７は、結合ガイド１５３の部分１５３ｂに沿って案内される。ここで、閉鎖要素１３５、１３７は、閉鎖要素１３５、１３７が開位置に運ばれるように、互いに離れてフレーム１２７に対して方向Ｄに閉鎖ガイド１３１、１３３に沿って移動される。このようにして、ガイド要素１３５、１３７は、逆止弁１５７を通過した後、結合ガイド１５３の部分１５３ｃを挿入する。次に、フレーム１２７は、図６Ｃに示すような第２のフレーム位置Ｉに配置される。
【００７２】
次に、第２のフレーム位置Ｉからフレーム１２７は、ガイドプレート１５１に沿って通過１０５の方向Ｅに移動される。逆止弁１５７は、閉鎖要素１３５、１３７が既にたどった結合ガイド１５３の部分１５３ａ、１５３ｂをたどるのを防止するので、これらは、結合ガイド１５３の部分１５３ｃをたどり、図６Ｃ、６Ｄ及び６Ｅに示すように、閉鎖要素１３５、１３７の間の距離は、最初に増加し、その後減少する。第２の逆止弁１５９を通過した後、閉鎖要素１３５、１３７は、このようにしてもう一度、図６Ｅで示すような第１の閉鎖位置に到着し、閉鎖要素１３５、１３７は、閉鎖状態となる。図４Ｅに示された状態のように、次のユーザは、上述のように、装置のカバー１０３を開き、次の廃棄物を通路５に存在する筒状フィルム１４７の部分１４７ｃに入れることができる。
【００７３】
図７は、閉鎖要素１３５、１３７が各々、偏心して配置された回転軸１６１、１６３の周りを回転することができ、ばね１６９、１７１によって方向Ｅに付勢されるローラ１６５、１６７を有することを示している。この方向Ｅは、閉鎖要素１３５、１３７は、第１の閉鎖位置から第２の閉鎖位置まで移動される方向Ｃと反対方向である。
【００７４】
図８は、ガイドプレート１５１に対する、したがって、通路１０５に対するフレーム１２７の移動のために、フレーム１２７に配置された電気モータ１３９とそれと共同するギアラック変速機１４１とが提供される。この電気モータは、図１〜４の装置１の電気モータ３９のために説明されたように、制御装置に接続されている。
【００７５】
図９は、図５〜図８に示すような装置１０１の他の実施例を示している。
【００７６】
図９に示された装置２０１は、図６Ａ〜図６Ｅに示すように、閉鎖搬送機構の駆動が筒状フィルムを閉鎖して搬送する工程を可能にすることを除けば、図５〜８に示された装置１０１と同じである。同じ部品と同じ機能を持つ部品は、可能な限り、同じ参照番号を指定して、該参照番号に１００が追加されている。
【００７７】
図９に示された実施例は、閉鎖搬送機構を駆動するためにいかなる電気要素も備えない。装置２０１は、ユーザによってフットペダル２７３の形状の作動要素によって作動される。
【００７８】
ペダル２７３による駆動は、図１０に概略的に示されている。図１０では、ペダル２７３は、第１の作動位置にある。ユーザが足の力によって、第１の作動位置から矢印Jの方向へ第２の作動位置までペダルを移動させることができる。
【００７９】
図９及び図１０を示すように、ペダル２７３とカバー１０３が、互いに回転可能に連結された連結棒２７５、２７７及び接続プレート２７８の形の結合機構によって連結されている。作動要素が第１の作動位置から第２の作動位置まで矢印Ｊの方向に移動されると、結合ロッド２７５は、その回転軸２７９周りに回転し、その結果、結合ロッド２７７は、矢印の方向に移動される。カバー２０３は、閉状態から開状態まで結合ロッド２７７が矢印Ｋの方向に移動することにより運ばれる。結合ロッド２７７がギアラック変速機２８１によって矢印Ｋの方向に移動する間、ばね装置２８３はまた、ペダル２７３の変位がばねエネルギの形で蓄えられるように駆動される。ばね２８５はまた、結合ロッド２７７の矢印Ｋの方向への移動中に伸張される。
【００８０】
廃棄物を通路２０５に配置した後、ユーザがペダル２７３を開放するとすぐに、結合ロッド２７７は、ばね２８５によって矢印の方向Ｌに移動される。カバー２０３は、ここで、開状態から閉状態まで運ばれ、結合ロッド２７５はその回転軸２７９の周りを回転し、その結果、ペダル２７３は、第２の作動位置から第１の作動位置まで矢印Ｍの方向に戻される。結合ロッド２７７がギアラック変速機２８１によって矢印Ｌの方向に移動する間、ばね装置２８３はまた、ペダル２７３の変位がばねエネルギの形でもう一度蓄えられるように駆動される。
【００８１】
ペダル２７３が第１の作動位置に戻され、カバーが閉状態になるとすぐに、ばね装置２８３に蓄えられたばねエネルギは、図６Ａ〜図６Ｅに示すように、第１のフレーム位置から第２のフレーム位置まで、続いて第２のフレーム位置から第１のフレーム位置までのフレーム２１７の移動に変速機２７４によって変換される。
【００８２】
図１〜図４に示すような第１の実施例と図６〜図８に示すような第２の実施例では、カバーが閉じており、廃棄物が通路に存在すると判定されるすぐに装置は作動する。しかしまた、このような装置に、通路にある廃棄物を検出するセンサを設けなくてもよい。その場合、制御装置は、例えばカバーの開封から所定時間後、または例えばユーザがカバーを閉鎖する必要があると判断した後、カバーを閉じるように構成することができる。また、第１及び第２の実施などの装置は、積極的にカバーを開閉するように構成されていなくてもよい。このような実施例では、ユーザは、彼／彼女自身でカバーを開閉しなければならず、カバーが開状態から閉状態に運ばれたことを検出するセンサを装置に設けなければならない。ユーザは、例えば図９及び図１０の第３の実施例で適用されたようなペダルによって、カバーを彼／彼女自身で開くことができる。
【００８３】
図に示すような実施例の変形例は、その作動位置間にペダルが移動している間、発電機によって電気エネルギが生成され、生成されたエネルギは、電気モータに提供する、または電気モータにエネルギを提供するために使用されてもよい。
【００８４】
示した３つの実施例には、両閉鎖要素がその都度フレームに対して移動できる。また、２つの閉鎖要素の一方は、フレームに対して相対的に移動され、他方は、フレーム上に固定して配置される。このような場合、移動可能な閉鎖要素は顎部とみなし、他方の閉鎖要素は停止部材とみなすことができる。
【図１】
2013545692.tif 000003
【図２】
2013545692.tif 000004
【図３】
2013545692.tif 000005
【図４Ａ】
2013545692.tif 000006
【図４Ｂ】
2013545692.tif 000007
【図４Ｃ−４Ｄ】
2013545692.tif 000008
【図４Ｅ】
2013545692.tif 000009
【図５】
2013545692.tif 000010
【図６Ａ】
2013545692.tif 000011
【図６Ｂ】
2013545692.tif 000012
【図６Ｃ】
2013545692.tif 000013
【図６Ｄ】
2013545692.tif 000014
【図６Ｅ】
2013545692.tif 000015
【図７】
2013545692.tif 000016
【図８】
2013545692.tif 000017
【図９】
2013545692.tif 000018
【図１０】
2013545692.tif 000019
【国際調査報告】
2013545692.tif 000020
2013545692.tif 000021
2013545692.tif 000022